(57)【特許請求の範囲】
【請求項１】
リストバンドの２つの別々の部分の２つのそれぞれの端部と接続されるようになっている２つの協働要素（６、３５）を含むリストバンド留め金であり、当該留め金が前記リストバンドの長さの精密な調節のための第１の装置と、前記リストバンドの長さの弾性調節のための第２の装置を含み、
前記第１の装置は、複数の異なる固定点で前記留め金に堅く締結できる連結部（１０）を含み、前記第２の装置は、前記連結部（１０）が前記固定点を越えた位置で弾性要素（１６）の復帰力による移動を可能にする構成を含む、ことを特徴とする、リストバンド留め金。
【請求項２】
前記連結部（１０）は、複数の異なる固定点で前記連結部（１０）を前記留め金に堅く締結できる行程である、前記留め金に対する第１の行程を可能とすると共に、前記連結部（１０）は、手首まわりでの前記リストバンドの恒久的な弾性保持と、前記連結部（１０）のばね復帰による自動移動とを可能にするため前記弾性要素（１６）に張力がかけられる、前記留め金に対する第２の行程を可能とする、ことを特徴とする、請求項１に記載のリストバンド留め金。
【請求項３】
前記連結部（１０）が、前記留め金に対して可動であるキャリッジ（１１）と、前記キャリッジに対して可動であるキャッチ（１２）とを含み、前記留め金が、前記連結部（１０）がその第１の行程中に前記留め金に固定されるように適合されている閉位置と、前記留め金に対して前記連結部（１０）が常に可動である開位置とを取ることができることを特徴とする、請求項２に記載のリストバンド留め金。
【請求項４】
前記連結部（１０）が、前記留め金に対して可動であるキャリッジ（１１）と、前記キャリッジに対して可動であるキャッチ（１２）とを含み、前記留め金が、前記連結部（１０）がその第２の行程中に前記留め金に対して移動できる閉位置を取ることができることを特徴とする、請求項２または３に記載のリストバンド留め金。
【請求項５】
前記連結部（１０）の前記キャッチ（１２）が、前記留め金上に設けられた相補形固定要素と留め金の閉位置において協働できる先端部、歯、鋲、開口または切り込み型の固定要素（１５）を含むこと、および／または、前記連結部（１０）の前記キャッチ（１２）が前記キャリッジ（１１）上で回転可能であること、および／または、前記連結部（１０）が、前記留め金に設けられた相補形固定要素に向けて前記連結部の固定要素を押し付けるのに役立つ弾性部材を含むことを特徴とする、請求項３または４に記載のリストバンド留め金。
【請求項６】
前記連結部（１０）が、前記連結部の第１の行程中に前記連結部を前記留め金に固定するための要素を含み、当該要素が、前記連結部の第２の行程中に前記留め金に対して前記連結部の接合部を形成することを特徴とする、請求項２から５のいずれか一項に記載のリストバンド留め金。
【請求項７】
前記連結部が前記弾性要素（１６）を含む弾性接続部によって前記留め金に接続され、当該弾性接続部が、前記留め金上の第１の可動接続部と、前記連結部との第２の接続部とを含むことを特徴とする、請求項２から６のいずれか一項に記載のリストバンド留め金。
【請求項８】
前記弾性接続部の前記第１の可動接続部が、移動の範囲を画定するための前記留め金の滑り部または溝内の、前記弾性接続部に堅く締結されたピンの移動によって得られることを特徴とする、請求項７に記載のリストバンド留め金。
【請求項９】
前記弾性接続部の移動の範囲が、前記連結部（１０）の前記第１の行程にわたる移動に対応し、および前記弾性接続部が引き伸ばされ前記連結部に復帰力をかけ続ける前記連結部の前記第２の行程にわたる前記連結部の移動時に、前記弾性接続部の当該第１の可動接続部が前記留め金と接合し、固定されたままになることを特徴とする、請求項８に記載のリストバンド留め金。
【請求項１０】
前記弾性接続部が１つまたは複数の引張ばね（１６）を含むことを特徴とする、請求項７から９のいずれか一項に記載のリストバンド留め金。
【請求項１１】
前記連結部（１０）が前記留め金のカバー（２０）の内側の、前記カバーの横の縁（２３）に設けられた滑り部型または溝型の案内要素（３０）の中で可動であることを特徴とする、請求項１から１０のいずれか一項に記載のリストバンド留め金。
【請求項１２】
前記連結部（１０）が前記留め金内に、当該連結部の位置を表示するための、開口（３１）を介して見える表示器（１９）を含むことを特徴とする、請求項１から１０のいずれか一項に記載のリストバンド留め金。
【請求項１３】
前記留め金が少なくとも２つの関節式に連結されたブレード（１、２）を含むこと、および前記留め金が、リストバンド部分の２つの端部に接続され、後者が、前記留め金の閉じた形態で第１の距離だけ離れており、前記留め金の開いた第２の形態ではより大きい第２の距離だけ離れており、それによって腕時計を手首から取り外す、または手首に装着することが可能になることを特徴とする、請求項１から１２のいずれか一項に記載のリストバンド留め金。
【請求項１４】
前記リストバンドの長さの前記精密な調節のための前記第１の装置が、前記留め金の開放中安定したままである、および／または前記留め金を閉鎖することによりロックされることを特徴とする、請求項１から１３のいずれか一項に記載のリストバンド留め金。
【請求項１５】
前記リストバンドの長さの前記弾性調節のための前記第２の装置がダイビングに適していることを特徴とする、請求項１から１４のいずれか一項に記載のリストバンド留め金。
【請求項１６】
２つの部分を含むリストバンドであって、当該２つの部分が、請求項１から１５のいずれか一項に記載された留め金に接続されることを特徴とする、リストバンド。
【請求項１７】
腕時計のリストバンドに接続された、請求項１から１５のいずれか一項に記載の留め金を含むことを特徴とする腕時計。
【発明の詳細な説明】
【技術分野】
【０００１】
本発明は腕時計留め金に関すると共に、このような留め金を備えるリストバンドおよび腕時計に関する。
【背景技術】
【０００２】
腕時計リストバンドの２つの部分をその着用者の腕のまわりで締結するには、いくつかの解決策がある。第１の解決策は単純であり、それぞれの部分の端部に例えば、一方の部分の単純な輪および突出部が他方の部分の穴と協働する形の協働手段を備えることから成る。このような解決策には、この協働手段を開放するとリストバンドの２つの部分が直ちに離れて、腕時計を落とす危険につながるという欠点がある。
【０００３】
この欠点を軽減するために、別の解決策は、２つのリストバンド部分の間に配置される留め金型の中間要素を設けることから成り、この中間要素は、これら２つの部分の端部に常に締結されたままになる。このような留め金は２つの位置を取る。すなわち、リストバンドと留め金が腕時計を保持できる全長を有して腕の周囲に延在する、時計を着用するための閉位置と、手を通して時計を外すことができるように、リストバンドの２つの部分の２つの端部を、留め金からこれらを取り外さずに引き離してリストバンドと留め金の長さを増すための開位置である。留め金のこの開いた形態においてリストバンドの２つの部分は離されず、そのため時計を落とす危険が最小限になる。
【０００４】
留め金を用いる解決策では、従来の調節機構と呼ばれる、リストバンドに対する留め金の位置の第１の調節機構が一般にある。しかし、得られる最終の長さは完璧でなく、また最適でないことが多い。この理由により、既存の留め金には、特許文献１に記載されているような、リストバンドの長さの第２の調節を行うことを可能にする解決策が装備され、それによって第１すなわち従来の調節機構が補完される。この第２の調節機構は、工具および特別な技能を必要としない非常に簡単でユーザフレンドリな操作により、リストバンドの長さのほんのわずかの修正を行うことによって最初の調節をさらに良くするものである。精密調節機構と呼ばれるこの第２の調節機構では、例えば周囲温度、およびリストバンドの着用者の腕がかける力による手首の周囲長のいかなる変化も軽減するように、最初の調節を容易に修正できるようにすることによって、着用者の快適さをとりわけ向上することが可能である。
【０００５】
しかし、留め金を使用する既存の解決策は、時計を落とす危険を低減できるようになるとはいえ、時計を使用するすべての条件には適合せず、不十分なままである。腕時計の着用者は、例えばダイビングに行きたい場合、自分の時計を一般にはウェットスーツの上に固定する必要がある。その場合、ダイバーがより深く下降するにつれて、増大する圧力によりダイバーの手首の周囲長が大きく変わる。実際、既存の留め金精密調節機構は、時計をこのようにダイビングで使用する場合には不適切であることが分かっている。
【０００６】
最後に、従来技術の利点を保持すると同時にその不利点の低減を可能にする、腕時計を着用できるようにする解決策に対する一要件がある。
【０００７】
このことが、以下の目的の一部または全部の達成を本発明が目指す理由である。
【先行技術文献】
【特許文献】
【０００８】
【特許文献１】欧州特許第０８１９３９１号
【発明の概要】
【発明が解決しようとする課題】
【０００９】
本発明の第１の目的は、時計を落とす危険を最小限にする、着用者の手首のまわりで時計リストバンドを閉じるための解決策を提案することから成る。
【００１０】
本発明の第２の目的は、時計を使用するすべての条件下で、例えばダイビングの場合でも、最適でユーザフレンドリなリストバンドの長さの調節をできるようにする、着用者の手首のまわりで時計リストバンドを閉じる解決策を提案することから成る。
【課題を解決するための手段】
【００１１】
この目的のために、本発明は、リストバンドの２つの別々の部分の２つのそれぞれの端部と接続されるようになっている２つの協働要素を含む留め金から成り、この留め金はリストバンドの長さの精密な調節のための第１の装置を含み、留め金はさらに、リストバンドの長さの弾性調節のための第２の装置を含むことを特徴とする。
【００１２】
本発明は、特許請求の範囲によって明確に範囲が限定される。
【００１３】
本発明のこれらの目的、特徴および利点は、非限定的な例によって、また添付の図面を参照して提示される、特定の実施形態についての以下の記述でより詳細に説明される。
【図面の簡単な説明】
【００１４】
【図１】本発明の一実施形態の部分的に開いた留め金の斜視図である。
【図２】本発明の当該実施形態の留め金のカバーの下からの斜視図である。
【図３】本発明の当該実施形態の留め金の調節装置の構成を示す図である。
【図４】本発明の当該実施形態の留め金の調節装置の構成を示す、図３と異なる図である。
【図５】本発明の当該実施形態における調節段階中の留め金の調節装置の構成を示す斜視図である。
【図６】本発明の当該実施形態における調節段階中の留め金の調節装置の構成を示す断面図である。
【図７】本発明の当該実施形態における第１の精密調節装置によって得られる位置の留め金の断面図である。
【図８】本発明の当該実施形態における第１の精密調節装置によって得られる、図７とは別の位置の留め金の断面図である。
【図９】本発明の当該実施形態における第１の精密調節装置によって得られる、図７および図８とは別の位置の留め金の断面図である。
【図１０】本発明の当該実施形態における留め金のカバーの上からの斜視図である。
【図１１】本発明の当該実施形態における第２の弾性調節装置によって得られる位置の留め金の断面図である。
【図１２】本発明の当該実施形態における第２の弾性調節装置によって得られる、図１１とは別の位置の留め金の断面図である。
【図１３】本発明の当該実施形態における第２の弾性調節装置によって得られる、図１１および図１２とは別の位置の留め金の断面図である。
【発明を実施するための形態】
【００１５】
本発明は第１に、上述のように、腕時計を落とす危険を最小限にするための、リストバンドの２つの部分の端部に恒久的に接続される留め金に基づく。この留め金にはさらに、手首の周囲長の変化に対する柔軟な適応、および手首の快適さに関する適応のために長さの小修正をで可能とする第１の精密調節装置が装備される。留め金には最後に、例えばダイビングの場合などの特別な使用に適合するために、長手方向により大きく広がる、より大きい長さの変化に自動的に対処できるようにする第２の弾性調節装置が備えられる。
【００１６】
次に、このような留め金の特定の一実施形態を非限定的な例によって詳細に説明する。
【００１７】
図１に示されるように、この実施形態での留め金は、回転ピンを形成する接続ピン３の高さで互いに関節式に連結された２つのブレード１、２を備え、第１のブレード１はさらに、ピン４のまわりでカバー２０の第１の端部２１に関節式に連結されている。第２のブレード２は、その第１のブレード１との接続部の反対側のその端部に、第１のリストバンド部分の端部（図示せず）を固定するための協働要素６を備える。カバー２０は、カバー２０の第２の端部２２から延びるように適合された第２のリストバンド部分の端部（図示せず）を固定するための機構を含む。後者はまた部材２７を保持し、その上には、部材２７をカバーの第１の端部２１に固定するための要素２６が装着され、第１の端部２１は、第２のブレード２の固定要素７と協働して、従来のように、その閉と開の２つの位置を得るために留め金をロックおよびロック解除するようになっている。
【００１８】
したがって、既知のように、２つのブレード１、２は２つの異なる配置を取ることができる。例えば図１に部分的に示される、留め金が開いた第１の配置では、第２のブレード２の自由端部が、そのカバー２０への固定から解放され、これにより、接続ピン３、４を中心に回転させることによって離すことができる２つのブレード１、２を展開することが可能になって、手首から腕時計を取り外すことができる。例えば図７〜９に部分的に示される、留め金が閉じた第２の配置では、２つのブレードは一方が他方の上に折りたたまれ、これらを隠すカバー２０に重ねられる。それゆえに、後者のカバーはまた美観上の機能も有する。この閉位置では、第２のブレード２の固定要素７は、カバー２０の固定要素２６と協働して、これらを固定すること、ならびにリストバンドと留め金によって手首の周囲に形成されるアセンブリを閉じること、および留めることを可能にする。第２のブレード２とカバー２０の間の協働を閉じること、および解除することは、部材２７に堅く締結された保持部材２９の助けによって行うことができる。ラッチ８がまた、留め金を閉じることが確実になるように設けられる。この留め金機構は従来のものであり、より詳細には説明しない。
【００１９】
カバー２０は、実質的にその全長にわたって、壁２４を形成するその平坦な上面に垂直に延びる２つの縁２３を有して、後で詳細に説明される留め金の調節装置、ならびに上述の、留め金の閉位置において２つのブレード１、２の部分を取り込む容積の境界を画し、それによって、カバーの目に見える上面側から、これらの調節装置の構成要素が外から見えないように隠すことにより、留め金の魅力的な美観が保証される。
【００２０】
カバー２０の２つの縁２３の間に延在する壁２４は、図２でより詳細に見ることができるように、壁の面をくぼませて作られた、着用者の手首の方に向けられるようにしてある注目すべき３つの切り込み２５ａ〜２５ｃを含む。カバー２０の内側容積は、リストバンドの長さを調節するための、図３〜６で詳細に見ることができる装置を含む。この目的のために、カバー２０の内側容積は、カバー２０内で移動するように取り付けられたリストバンド連結部１０を取り込み、この連結部は、キャリッジ１１と、キャリッジ１１上の接続ピン３を中心に回転できるように取り付けられたキャッチ１２とを含む。キャッチ１２とキャリッジ１１の接続は、接続ピン１３の上に固定されたねじりばね１４によって制御され、接続ピン１３は、後でより詳細に説明するように、切り込み２５ａ〜２５ｃと協働するようにカバー２０の壁と接触して、図６〜９でより詳細に見ることができるキャッチ１２の先端部１５を保持するのに役立つ。
【００２１】
さらに、キャリッジ１１は、引張ばね１６によってカバー２０に接続され、引張ばね１６の第１の端部１８はカバー２０に接続され、引張ばね１６の第２の端部はキャリッジ１１に、より正確には、キャッチ１２が旋回するための軸である接続ピン１３とは別個のピン１７に接続される。引張ばね１６の第１の端部１８は、横ピン機構によって並進移動するように取り付けられ、この横ピン機構には、ピンの各端部が部材２７の溝２８に位置しており、部材２７は、カバー２０に堅く締結され、カバーの各縁２３の間に配置されている。キャリッジ１１の２つのピン１３、１７は平行であり、カバー２０の全幅に延び、その結果ピンの各端部が、カバー２０の縁２３内に設けられた滑り部３０と協働するようになる。この接続により、キャリッジ１１は、滑り部３０の形状によって範囲が限定された動きで、カバー２０に対して可動になる。この動きは、並進移動に近い、またはわずかに曲がった、任意の方向とすることができる。さらに、キャリッジには、後で説明するように、引張ばね１６によって加わるばね復帰力がかかり得る。
【００２２】
この留め金と協働するリストバンドの長さは、キャッチ１２の先端部１５を動かしてカバー２０から離すように、また先端部１５が、切り込み２５ａ〜２５ｃとの相互係合があればそれから離脱することができるように、キャッチ１２をキャリッジ１１に対して回転させることによって調節される。その場合、連結部１０、すなわちキャリッジ１１とキャッチ１２によって形成されるアセンブリは、カバー２０に対して自由に動いて、その位置を調節することが可能になる。有利な任意選択の一実施形態では、図１０に示されるように、表示器１９が、カバー２０の壁２４に設けられた長手方向開口３１に現れるように、またカバー２０の壁２４上に形成された目印２４ａ、２４ｂ、２４ｃと協働するように、この連結部の表面に設けられ、それによって、連結部の位置、すなわち選択された長さの調節が見えるようになる。図４に見られるリストバンド部分の端部３２は、連結部１０に、より詳細にはそのキャッチ１２の端部に固定され、したがって、このリストバンド部分がカバーに対して動き、それによってリストバンドの長さを調節することができる。
【００２３】
図７〜９は、精密な第１の調節機構の動作をより詳細に示す。各図は、切り込み２５ａ〜２５ｃそれぞれにキャッチ１２の先端部１５を配置することによって行われたリストバンドの長さのそれぞれ異なる３つの調節がされた状態で、閉位置の留め金を示す。これらの図で見ることができるように、各切り込み２５ａ〜２５ｃにより、異なるリストバンドの長さを得ることができるようになる。というのは、この部分の端部３２がキャッチ１２の２つの端部に協働要素３５を介して固定されているからである。異なる切り込みは、リストバンドの長さの精密な微調節ができるように、共に比較的近接し、例えば２ｍｍ離れている。もちろん２つ以上の任意の数の切り込みが使用されることもあり、その間隔は均等に、例えば１ｍｍから５ｍｍまで変わり得る。キャリッジ１１、すなわち連結部１０の、図７に示された第１の切り込み２５ａの第１の位置から図９に示された最終切り込み２５ｃの、連結部の最後の位置までのこの第１の行程にわたって、引張ばね１６の端部１８は、その案内溝２８の一方の端部から他方の端部まで移動されることに留意されたい。したがって、後者の長さは、それ自体は調節切り込み２５ａ〜２５ｃの各端部間の距離によって規定されるキャリッジの第１の行程に対応するように選択され、これにより、引張ばね１６が、精密な第１の調節の実行中ずっと静止したままであることが可能になり、それゆえに、着用者によって行われる操作が簡単になる。さらに、このことにより引張ばね１６の疲労が防止される。この精密な第１の調節の位置のそれぞれで、この調節の範囲を限定する連結部１０が切り込みの１つによって不動にされることに留意されたい。連結部１０の解除には、キャッチ１２をその接続ピン１３のまわりで動かすことが必要であるので、留め金の閉位置において、調節要素を覆うブレード１、２は、キャッチ１２が動くことを防止し、安全対策として調節機構をロックするのに寄与することが明らかである。それでも、留め金を開くときでさえ、キャッチ１２は、特にねじりばね１４の作用によって適所に保持される。したがってこの解決策には、リストバンドに対して選択された長さ調節が留め金を開くことで喪失されず、これにより、ユーザが自分の時計を取り外し、再びそれを以前の調節を繰り返す必要なく着用できるという利点がある。
【００２４】
リストバンドの長さの調節機構は、下および側面からそれぞれ見た図５および図６により詳細に示されている。留め金が開くと、その２つのブレード１、２はカバー２０から離れ、キャッチ１２にアクセスすることが可能になる。後者は、キャリッジ１１が付いたその接続ピン１３を軸として、その先端部１５が切り込み２５ａ〜２５ｃのうちの１つから離脱するまで回転される。その場合、キャリッジ１１、および連結部１０の全体さえもカバー２０に対して可動であり、前述した横の滑り部３０に沿って案内される。連結部のこの動きにより、それに接続されたリストバンド部分の端部３２が同時に動く。キャッチ１２と、それに接続されているリストバンド部分の端部とは、この調節段階中、カバーの上壁２４と実質的に垂直な方向に向けられ、これにより、キャッチ１２およびリストバンド部分の端部をユーザフレンドリに手で保持して、調節をするための連結部１０の全体の移動を容易に行うことができることに留意されたい。その場合、連結部１０は、キャッチ１２を、それがキャリッジ１１と並んでカバーの壁２４に向かって自動的に位置が変えられるように、解放するだけのままであり、キャッチ１２は、切り込み２５ａ〜２５ｃに達するまで可動のままであり、達するとすぐにねじりばねによってキャッチの先端部１５が自動的に切り込みに係合される。
【００２５】
図１１〜１３は、例えばダイビングに行くための、リストバンドの長さの弾性の第２の調節機構をより詳細に示す。この調節中、連結部１０は、カバーの端部２２の方向に、上述の切り込み２５ａ〜２５ｃの領域を越えた位置を取り、この端部２２と最終切り込み２５ｃとの間の第２の行程にわたって移動する。連結部のこの行程に沿って、キャッチ１２の先端部１５は、もはや切り込みとは協働しないが、カバーの内面の連続する中空領域３６内を移動し、連結部１０は、滑り部３０によって案内されて、カバー２０に対して自由に移動する。連結部１０にはさらに、引張ばね１６のばね復帰力がかかり、引張ばね１６の端部１８は、ここではカバー２０と接合する。
【００２６】
図１１は、リストバンドの最大長を得ることができる連結部の第１の位置を例示的に示す。この目的のために、連結部はその位置が、カバー２０の端部２２に最も近いところにある。この位置には、例えばユーザが自分の時計をウェットスーツの上に水面ではめるときに到達する。
【００２７】
その後、ダイバーが下降するにつれて、圧力によりダイバーの手首の測定寸法の減少が起こる。弾性の第２の調節装置により連結部は、引張ばね１６の復帰力によって自動的に移動され、引張ばね１６は、連結部のこの第２の行程の全部にわたって牽引の働きをして、その結果、リストバンドは常に手首と同じ長さのままになる。ばねの牽引力は、好適な牽引と腕時計の快適な着用とを同時に実現する好適な妥協点になるように規定される。図１２および図１３は、これを実現する２つの異なる中間位置を示し、連結部１０はその第２の行程にわたって、リストバンドの長さを低減する方向に引張ばね１６によって移動されている。この第２の行程は、図１３に示されるように、キャッチ１２の先端部１５が、精密な第１の調節装置の最後の切り込み２５ｃの外側壁に来て接合するときに終わる。連結部のこの第２の行程は、１５ｍｍ程度、好ましくは１０から２０ｍｍの間、さらには５から２５ｍｍの間とすることができる。この第２の調節の図１３に示された位置で、引張ばね１６は、この実施形態においてごくわずか引き伸ばされていることに注意されたい。
【００２８】
最後に、これまで説明してきたように、本発明のこの実施形態の留め金は、２つの異なる相補形の調節機能を２つの調節装置と共に組み合わせて、非常に広い、かつユーザフレンドリな腕時計の使用範囲を提供するという利点を有する。説明した実施形態では、２つの調節装置は、いくつかの共通の構成要素および別個の他の構成要素を含む。この留め金はさらに、上で詳細に説明した２つの調節を行う前の、リストバンドの従来の最初の第１の固定を含む。
【００２９】
もちろん、これらの調節装置の構成要素の多くは異なる形を取ることができる。例えば、連結部は別の形を取ることができ、そのキャリッジは異なるように、および／またはカバーとの異なる協働の手段により移動することができる。さらに、キャッチは、単純なレバーなどの他の任意の形を取ることができる。同様に、先端部／切り込みの協働を例示的に示してきたが、歯／ラック型、鋲／開口型の接続など、他の任意の同等の接続を想起することができる。連結部は、留め金に設けられた相補形の固定要素に向けて連結部固定要素を押し付けるのに役立つ、任意の弾性部材を含むことができる。さらに、ねじりばね１４および引張ばね１６は、他の同等の弾性要素と置き換えることができる。弾性の第２の調節を行うための、連結部をその第２の行程に沿って戻す力に寄与する弾性要素は、異なるように固定することができる。特に、その第１の端部は、実施が簡略化された形で、可動としないで固定することができる。一般的に言えば、留め金自体の構成は様々であり得る。
【００３０】
本発明は、腕時計に付属する、それ自体に本発明もまた関するリストバンドに基づいて説明してきた。あるいは、留め金は、手首または他の部分に固定される任意の物体用に、他のリストバンドに付属させることもできる。この物体は、例えば深度計またはダイビングコンピュータなどのダイビングアクセサリ、または宝飾品構成要素であり得る。
【符号の説明】
【００３１】
１  ブレード、第１のブレード
２  ブレード、第２のブレード
３  接続ピン
４  ピン
６  協働要素
７  固定要素
８  ラッチ
１０  リストバンド連結部、連結部
１１  キャリッジ
１２  キャッチ
１３  接続ピン
１４  ねじりばね
１５  先端部
１６  引張ばね
１７  ピン
１８  第１の端部
１９  表示器
２０  カバー
２１  第１の端部
２２  第２の端部
２３  縁
２４  壁
２４ａ〜２４ｃ  目印
２５ａ〜２５ｃ  切り込み
２６  固定要素
２７  部材
２８  溝
２９  保持部材
３０  滑り部
３１  開口
３２  端部
３５  協働要素
３６  中空領域
【図１】
0006289806.tif 000002
【図２】
0006289806.tif 000003
【図３】
0006289806.tif 000004
【図４】
0006289806.tif 000005
【図５】
0006289806.tif 000006
【図６】
0006289806.tif 000007
【図７】
0006289806.tif 000008
【図８】
0006289806.tif 000009
【図９】
0006289806.tif 000010
【図１０】
0006289806.tif 000011
【図１１】
0006289806.tif 000012
【図１２】
0006289806.tif 000013
【図１３】
0006289806.tif 000014